(57)【要約】【課題】設備費用を抑えつつ、丸形の多心光ファイバケーブル用クロージャ等の接続部に対して、極めて容易に細径ケーブルを接続させる。【解決手段】本発明の細径ケーブル用アダプタは、外形が丸形の多心光ファイバケーブルと略同一形状となる一対のスペーサ３１を備えており、スペーサ３１の内側には細径ケーブルであるエレメント部６４を保持する保持孔となる保持溝３２が形成されている。このスペーサ３１間に、シーリングテープ３４を介してエレメント部６４を配設してスペーサ３１同士を接合させ、固定バンド３６によって締め付けて固定する。そして、エレメント部６４を保持したアダプタ２２を丸形の多心光ファイバケーブル用クロージャのケーブル把持部に把持させるとともに、アダプタ２２にグロメット２３を取り付けてクロージャ１１内に配設し、クロージャ１１のスリーブ１２を密閉する。【選択図】      図４
2004341181.tif 000002
【特許請求の範囲】
【請求項１】
断面が丸形の多心光ファイバケーブルが接続される接続部に対して、前記多心光ファイバケーブルよりも小径の光ファイバケーブルである細径ケーブルを接続させる際に用いられる細径ケーブル用アダプタであって、
前記多心光ファイバケーブルと略同一形状の外形を有する円筒状をなし、内側に前記細径ケーブルを保持する保持孔が形成されており、前記多心光ファイバケーブルが接続される前記接続部に接続可能なスペーサを備えていることを特徴とする細径ケーブル用アダプタ。
【請求項２】
請求項１に記載の細径ケーブル用アダプタであって、
前記スペーサは、前記保持孔を二分するように、保持される前記細径ケーブルの長手方向に沿って分割可能であることを特徴とする細径ケーブル用アダプタ。
【請求項３】
請求項１に記載の細径ケーブル用アダプタであって、
前記スペーサは、保持される前記細径ケーブルの長手方向に沿って、前記保持孔を二分するように開閉可能であることを特徴とする細径ケーブル用アダプタ。
【請求項４】
請求項２または請求項３に記載の細径ケーブル用アダプタであって、
前記保持孔の内周と保持される前記細径ケーブルの外周との間を密封するシール材を備えていることを特徴とする細径ケーブル用アダプタ。
【請求項５】
請求項１から請求項４の何れか１項に記載の細径ケーブル用アダプタであって、
前記スペーサを外周側から径方向の内方へ締め付ける、締め付け部材を備えていることを特徴とする細径ケーブル用アダプタ。
【請求項６】
請求項５に記載の細径ケーブル用アダプタであって、
前記スペーサの外周面に、前記締め付け部材の位置を規制する溝が周方向に沿って形成されていることを特徴とする細径ケーブル用アダプタ。
【発明の詳細な説明】
【０００１】
【発明の属する技術分野】
本発明は、光ファイバケーブル用クロージャ等の多心光ファイバケーブルの接続部に細径ケーブルを接続させる際に用いる細径ケーブル用アダプタに関するものである。
【０００２】
【従来の技術】
従来、光ファイバを収容局から加入者側のビル等に配線するための基幹となる光通信路として、多心光ファイバケーブルが架空や地下等の屋外、または屋内に敷設されている。また、光通信路の線路設計により、多心光ファイバケーブル同士を接続したり、または１本の多心光ファイバケーブルを複数の光ファイバケーブルへ分岐させて接続することが多く行われており、特に架空や地下等の屋外環境での接続箇所には、防水性等を考慮してその接続点を保護したり光ファイバの余長処理を行ったりするためのクロージャが設けられている。
また、近年では、インターネットのさらなる普及に伴い、一般家庭への光ファイバの引き込みの要求が増大しており、多心光ファイバケーブルの接続箇所から１心または２心等の少数心の光ファイバを分岐させることが行われている。
【０００３】
図１０に、多心光ファイバケーブルの一例を示す。
図１０に示すように、光ファイバケーブル５０は、中心にテンションメンバ５１を有するスロット５２の溝５３に、複数の光ファイバテープ心線６０が収容されている。また、光ファイバテープ心線６０が溝５３から外れるのを防ぐために、スロット５２の周囲には押さえ巻き５４が巻かれている。さらに、押さえ巻き５４の外側にはプラスチック製の外被層５５が被覆されている。
このように、例えば架空等の屋外に敷設される光ファイバケーブルは、断面形状が丸形の比較的大径のケーブルである。
【０００４】
これに対して、一般家庭へ引き込む引き込み線として用いられる細径ケーブルの一例を図１１に示す。
図１１に示す細径ケーブルである光ドロップケーブル６０は、エレメント部６４とメッセンジャワイヤ部６７とが首部６５により接続された構成である。
エレメント部６４は、中央に配置された光ファイバ６８と、光ファイバ６８に対してそれぞれ略同間隔で並列された２本の抗張力体６１とが、樹脂６２により被覆されている。
光ファイバ６８は、特に種類や形状が限定されるものではないが、好適に用いられる例として、コアとクラッドからなるガラスファイバの外周に紫外線硬化樹脂が被覆されてなるものが挙げられる。
なお、この光ドロップケーブル６０には、光ファイバ６８が１本のみ設けられているが、これが２本設けられていても良く、または２本以上の光ファイバがテープ状に一体化された光ファイバテープ心線となっていても良い。
【０００５】
メッセンジャワイヤ部６７は、光ドロップケーブル６０を架空で支持するための強度を有するように構成されており、支持線６６が樹脂６２により被覆されている。支持線６６は、例えば鋼線が用いられる。
【０００６】
また、エレメント部６４の外周には、光ファイバ６８に向かって形成されたノッチ６３が２つ設けられている。このノッチ６３は、光ファイバ６８の取り出しを容易にするものであり、取り出しの際には、２つのノッチ６３の間の樹脂６２に切り込みを入れるようにして引き裂けば良い。
【０００７】
このような光ドロップケーブル６０をクロージャ等に接続する場合には、光ドロップケーブル６０の端部から首部６を引き裂いてエレメント部６４及びメッセンジャワイヤ部６７を任意の長さだけ分離させ、断面が矩形形状であるエレメント部６４をクロージャの内側に導入して、接続する。
【０００８】
図１０に示したような架空に敷設された多心光ファイバケーブルから、図１１に示したような細径ケーブルを用いて加入者側に光ファイバを引き込む場合には、丸形で比較的大径の多心光ファイバケーブル同士を接続する構造を有する既設のクロージャを、細径ケーブルの接続にも適応が可能な構造を有する新たなクロージャに交換していた。もしくは、多心光ファイバケーブルに新たな接続箇所を設け、細径ケーブルの接続にも適応が可能なクロージャを取り付けていた。
【０００９】
【発明が解決しようとする課題】
ところで、多心光ファイバケーブル用の既設のクロージャに細径ケーブルを接続しようとした場合は、例えば防水機能を付与するグロメットや、細径ケーブルをクロージャ内で把持するための部材を、それぞれ設計寸法の異なるクロージャの形式ごとに合わせた新規の構造で製作しなければならない。細径ケーブル用に多種の部材を製作しようとすると、多くの労力と費用がかかってしまうため、好ましくない。そのため、既設のクロージャを用いて細径ケーブルを接続することはなかった。
【００１０】
このように、既に敷設されている多心光ファイバケーブルに細径ケーブルを接続するためには、既設のクロージャを、細径ケーブルが接続可能な新たなクロージャに交換もしくは新設する必要があった。そのため、細径ケーブルの接続を行うにあたり、既設のクロージャを無駄にしてしまうとともに、新規のクロージャを用意しなければならないため、費用が嵩んでしまう。また、クロージャを交換する作業に多大な時間がかかってしまう。
【００１１】
本発明は、設備費用を抑えつつ、丸形の多心光ファイバケーブル用クロージャ等の接続部に対して、極めて容易に細径ケーブルを接続させることができる細径ケーブル用アダプタを提供することを目的としている。
【００１２】
【課題を解決するための手段】
上記目的を達成することができる本発明の細径ケーブル用アダプタは、断面が丸形の多心光ファイバケーブルが接続される接続部に対して、多心光ファイバケーブルよりも小径の光ファイバケーブルである細径ケーブルを接続させる際に用いられる細径ケーブル用アダプタであって、多心光ファイバケーブルと略同一形状の外形を有する円筒状をなし、内側に細径ケーブルを保持する保持孔が形成されており、多心光ファイバケーブルが接続される接続部に接続可能なスペーサを備えていることを特徴としている。
【００１３】
このような細径ケーブル用アダプタによれば、細径ケーブルをスペーサの保持孔に保持させることにより、外形形状が異なることにより接続することができなかった多心光ファイバケーブル用クロージャ等の接続部に、細径ケーブルを容易に接続させることができる。
これにより、例えば、架空や地下に既に設置されているクロージャ等の多心光ファイバケーブルの接続部を、細径ケーブル適応型の新たなものに交換することなく、細径ケーブルを接続して一般家庭に光ファイバを引き込むことができる。そして、このように既設のクロージャ等をそのまま用いることができるので、新たなものと交換することによる設備費の増大を抑えることができるとともに、交換作業を不要とすることができ、細径ケーブルの接続作業の容易化を図ることができる。
【００１４】
また、本発明の細径ケーブル用アダプタにおいて、スペーサは、保持孔を二分するように、保持される細径ケーブルの長手方向に沿って分割可能であることが好ましい。
もしくは、スペーサは、保持される前記細径ケーブルの長手方向に沿って、前記保持孔を二分するように開閉可能であることが好ましい。
【００１５】
また、本発明の細径ケーブル用アダプタにおいて、スペーサは、保持孔の内周と保持される細径ケーブルの外周との間を密封するシール材を備えていることが好ましい。
【００１６】
また、本発明の細径ケーブル用アダプタにおいて、スペーサを外周側から径方向の内方へ締め付ける、締め付け部材を備えていることが好ましい。
【００１７】
また、本発明の細径ケーブル用アダプタにおいて、スペーサの外周面に、締め付け部材の位置を規制する溝が周方向に沿って形成されていることが好ましい。
【００１８】
【発明の実施の形態】
以下、本発明に係る細径ケーブル用アダプタの実施の形態の例について図面を参照して説明する。
図１は、丸形の多心光ファイバケーブル用クロージャの一部（図中右側）を断面視した平面図である。図２は、図１に示したクロージャの一部（図中右側）を断面視した側面図である。図３は、図１に示したクロージャ内の構造を示す一部の斜視図である。
なお、本実施の形態の説明において、丸形の多心光ファイバケーブル５０は、例えば図１０に示した多心光ファイバケーブル５０と同等のものであり、また、細径ケーブルであるエレメント部６４は、例えば図１１に示した光ドロップケーブル６０のエレメント部６４と同等のものである。
図１から図３に示すように、このクロージャ１１は、円筒状のスリーブ１２を有している。このスリーブ１２は、上下で半割の構造とされており、その内部には、長手方向に沿って連結金具１３が配設されている。
【００１９】
連結金具１３には、その両端部に、それぞれ一対の把持金具１４がネジ止め固定されている。これら把持金具１４は、コ字状のケーブル把持部１４ａを有し、このケーブル把持部１４ａは、スリーブ１２の中央方向に向かって延在するテンションメンバ把持部１４ｂを有している。ケーブル把持部１４ａには、その上下から中央に向かって、固定ボルト１６が設けられており、これら固定ボルト１６の先端には、丸形の多心光ファイバケーブル５０の外周面に沿うように湾曲し、多心光ファイバケーブル５０を挟んで把持するように構成された固定板１５が設けられている。なお、この固定板１５には、互いに対向する面に複数の凸部が形成されており、多心光ファイバケーブル５０を把持したときに、多心光ファイバケーブル５０がその軸方向に移動しないように図られている。
【００２０】
このように構成された把持金具１４には、それぞれ丸形の多心光ファイバケーブル５０及び細径ケーブル用のアダプタ２２が把持されている。
そして、丸形の多心光ファイバケーブル５０は、ケーブル把持部１４ａの固定板１５間に配設させた状態にて、固定ボルト１６をねじ込むことにより、これら固定板１５によって挟持されて把持される。また、多心光ファイバケーブル５０の中心から引き出されたテンションメンバ５１は、テンションメンバ把持部１４ｂにネジ止めにより固定される。
【００２１】
また、アダプタ２２は、多心光ファイバケーブル５０と同様に、ケーブル把持部１４ａの固定板１５間に配設させた状態にて、固定ボルト１６をねじ込むことにより、これら固定板１５によって挟まれて把持される。
これら把持金具１４に把持された多心光ファイバケーブル５０及びアダプタ２２には、環状のグロメット２３が取り付けられている。これらグロメット２３は、スリーブ１２の端部に形成されたグロメット保持部１２ａ内に、少なくとも軸方向の両端面で気密性を有するように収容されている。
【００２２】
また、連結金具１３には、その中央部分に余長収納トレイ２４が積層された状態で配設されており、光ファイバ同士の接続部分及びその両側の余長部分がこれら余長収納トレイ２４内にそれぞれ収納されている。
なお、余長収納トレイ２４内には、浸水検知センサを取り付けることもできる。
【００２３】
次に、細径ケーブル用のアダプタ２２について説明する。
図４は、アダプタに細径ケーブルを固定した状態を示す斜視図である。図５は、アダプタの分解斜視図である。図６は、アダプタを構成するスペーサの形状を説明するスペーサの平面図である。
【００２４】
図４から図６に示すように、このアダプタ２２は、断面半円状の一対のスペーサ３１を備えている。この一対のスペーサ３１は、外形が円柱形状の構造体を半割とした形状をなしており、互いに接合させた状態で中央に光ドロップケーブル６０（図１１参照）のエレメント部６４（本実施形態での細径ケーブル）を配置できるように、長手方向にわたって保持溝３２が形成されている。すなわち、一対のスペーサ３１は、互いに接合させると、中央の軸方向に保持溝３２により保持孔が形成され、全体として略円筒形状となる。また、一対のスペーサ３１を接合させた状態の外形は、丸形の多心光ファイバケーブル５０と略同一形状となっている。
なお、スペーサ３１は、例えば、エチレンプロピレンジエンゴム（ＥＰＤＭ）などのゴム硬度７０程度の硬質ゴムから成型されている。
【００２５】
また、これらスペーサ３１の長手方向の両端部近傍には、円弧状の外周面に、円周方向へ沿って固定溝３３が形成されている。
これらスペーサ３１の間には、シール材であるシーリングテープ３４を介してエレメント部６４が配設され、エレメント部６４が、スペーサ３１の保持溝３２内に保持される。
【００２６】
シーリングテープ３４は、例えば、未加硫のブチルゴムなどの軟質ゴムをシート状にしたもので、これらシーリングテープ３４によって、保持溝３２に保持されたエレメント部６４とスペーサ３１との間を気密にシールすることができる。また、一対のスペーサ３１の間の接合箇所も気密に保たれる。
さらに、シーリングテープ３４は、エレメント部６４に引っ張り力が作用した際に、スペーサ３１に対してエレメント部６４が位置ずれしないように保持する機能も有している。
【００２７】
なお、スペーサ３１の保持溝３２は、スペーサ３１同士を互いに当接させた際に、保持するエレメント部６４の外径よりも僅かに大きな角穴状の保持孔を形成する寸法とされている。ここでは、エレメント部６４が、幅３ｍｍ、厚さ２ｍｍの断面角形であるのに対して、スペーサ３１の保持溝３２は、幅５ｍｍ、深さ１．５ｍｍとされ、これにより、保持溝３２により形成される保持孔は、エレメント部６４よりも、幅方向にそれぞれ１ｍｍずつ、厚さ方向にそれぞれ０．７５ｍｍずつの隙間を有する形状とされている。そして、これら隙間に、シーリングテープ３４が入り込む構造とされている。
【００２８】
スペーサ３１の固定溝３３には、エレメント部６４を保持させた状態にて、締め付け部材である固定バンド３６が配設される。この固定バンド３６は、一端に係止部３６ａを有する帯状のもので、互いに接合したスペーサ３１に巻き付けて固定溝３３内に配設して締め付け、一端側の３６ａに他端側を係止させることにより、スペーサ３１を固定するものである。
なお、固定バンド３６は、固定溝３３により、スペーサ３１の長手方向への移動が妨げられ、位置が規制される。
【００２９】
アダプタ２２に保持されたエレメント部６４は、その端部が、中央部分にて引き裂かれ、中心の光ファイバ６８が引き出される。そして、両側の抗張力体６１を有する部分がその周囲の樹脂６２とともにアダプタ２２の外周側へ折り返されて、このアダプタ２２の外周側に折り返された部分が、固定バンド３６によってアダプタ２２に緊結される。
【００３０】
次に、光ドロップケーブル６０をクロージャ１１（図１参照）に接続する場合について、その手順に沿って説明する。
（１）まず、アダプタ２２に保持させる光ドロップケーブル６０の接続端において、エレメント部６４とメッセンジャワイヤ部６７とを繋ぐ首部６５をカッタによって切り裂き、メッセンジャワイヤ部６７を引き離す。
（２）次いで、図５に示すように、エレメント部６４の接続端に、その上下からシーリングテープ３４を介してスペーサ３１をあてがい、スペーサ３１の保持溝３２内にエレメント部６４を配設させる。
【００３１】
（３）そして、スペーサ３１の両端部における固定溝３３に、固定バンド３６を巻き付けて引っ張り、その一端側の係止部３６ａに他端側を係止させる。
このようにすると、図７に示すように、スペーサ３１の両端部近傍が、固定バンド３６によって締め付けられた状態に固定される。
（４）その後、スペーサ３１から突出したエレメント部６４の端部を、中央のノッチ６３から引き裂き、中心の光ファイバ６８を引き出す。
【００３２】
（５）さらに、エレメント部６４の両側の抗張力体６１を有する部分を、アダプタ２２の外周側へ折り返し、図４に示すように、この折り返し部分を、固定バンド３６によってアダプタ２２に緊結させる。
（６）このようにして、エレメント部６４の接続端をアダプタ２２に保持させたら、このアダプタ２２を、図１から図３に示すように、クロージャ１１に取り付けられる把持金具１４に把持させる。つまり、ケーブル把持部１４ａの固定板１５間にアダプタ２２を配設させ、この状態にて固定ボルト１６をねじ込み、固定板１５によってアダプタ２２を挟持させて把持させる。ここで、アダプタ２２は、丸形の多心光ファイバケーブル５０と外径が略同一とされているので、多心光ファイバケーブル５０を把持する把持金具１４によって確実に把持させることができる。
【００３３】
（７）アダプタ２２を把持させた把持金具１４を、クロージャ１１のスリーブ１２内に配設されている連結金具１３の端部にネジ止め固定する。
（８）次に、収納トレイ２４内に、エレメント部６４から引き出した光ファイバ６８を接続し、その接続部分及びその両側の余長部分を収納トレイ２４内に収納する。その際、収納トレイ２４内に浸水検知センサを取り付けてもよい。
【００３４】
（９）次いで、アダプタ２２の端部に、環状のグロメット２３を取り付け、このグロメット２３を、スリーブ１２の端部に形成されたグロメット保持部１２ａ内に収納した後、上下のスリーブ１２同士を突き合わせて固定して内部を密閉する。
ここで、このグロメット２３には、その内外周及びアダプタ２２を取り付けるための切れ目に接着材が塗布されており、これにより、アダプタ２２及びスリーブ１２のグロメット保持部１２ａとの間における高い気密性が確保される。
【００３５】
このように、上記の実施の形態に示した細径ケーブル用アダプタによれば、エレメント部６４をアダプタ２２の保持溝３２から形成される保持孔に保持させることにより、外径が異なることより接続することができなかった丸形の多心光ファイバケーブル用クロージャ１１に容易に接続することができる。
これにより、電柱の架空に既設のクロージャ１１を、ドロップケーブル適応型の新たなものに交換することなく、光ドロップケーブル６０を接続して一般家庭に光ファイバ６８を引き込むことができる。
【００３６】
そして、このように既設のクロージャ１１をそのまま用いることができるので、新たなものと交換することによる設備費の増大を抑えることができるとともに、設置作業を不要とすることができ、光ドロップケーブル６０の接続作業の容易化を図ることができる。
【００３７】
また、アダプタ２２は、保持溝３２から形成される保持孔の内周とエレメント部６４の外周との間、及びスペーサ３１の接合面同士の間が、シーリングテープ３４によってシールされているので、極めて良好なシール性を確保することができる。これにより、単に、雨水からの浸入を阻止すれば良い場合と異なる、例えば、光ファイバケーブルを地中に配設した場合のようにクロージャ１１が地下水に完全に浸かってしまうような環境下においても、アダプタ２２からのクロージャ１１内への水の侵入を確実に防止することができ、信頼性を大幅に高めることができる。
【００３８】
また、ドロップケーブル２の外周面に形成されたノッチ６３に対しても、シーリングテープ３４がノッチ６３内に確実に入り込み、シール性が低下するようなこともない。
【００３９】
さらに、光ファイバ６８に沿って併設された抗張力体６１を、光ファイバ６８から分離させて折り返してアダプタ２２の外周面に固定したので、エレメント部６４に引っ張り力が作用したとしても、アダプタ２２に対するエレメント部６４のずれを確実に防止することができる。
【００４０】
なお、上記の例では、スペーサ３１を、保持孔を二分するように、保持されるエレメント部６４の長手方向に沿って分割可能なように完全な半割構造としたが、スペーサ３１としては、図８に示すように、保持されるエレメント部６４の長手方向に沿って、保持孔を二分するように開閉可能である構成としても良い。図８に示すスペーサ３１は、保持されるエレメント部６４の長手方向に沿って外周側の任意の箇所から保持孔に達するスリットが形成されているとともに、長手方向に繋がった連結部分を有している。このスペーサ３１を用いる場合も、これらスペーサ３１間にエレメント部６４を挟み込むように保持孔を閉じることでエレメント部６４を保持することができる。この場合、少なくともスペーサ３１の連結部分に可撓性を持たせることが好ましい。
また、スペーサ３１としては、半割構造とせずに、単に、エレメント部６４を通して保持させることが可能な保持孔を形成したものでも良い。
【００４１】
また、アダプタ２２としては、１本のエレメント部６４を保持するものに限定されることはなく、複数本のエレメント部６４を保持するものでも良い。例えば、図９に示すように、２本のエレメント部６４を保持するタイプのアダプタ２２としても良い。
【００４２】
さらに、アダプタ２２を締め付ける締め付け部材としては、固定バンド３６に限らず、固定溝３３におけるアダプタ２２の外径よりも僅かに小径に形成され、弾性体により構成されたリングであっても良い。その場合も、例えば固定溝３３にリングを嵌合させることによりスペーサ３１の外周側から径方向の内方へ締め付け力を付与することができる。
また、締め付け部材を用いずに、粘着テープ等によってスペーサ３１同士や抗張力体６１を固定しても良い。その場合、固定溝３３を形成する必要は無い。
【００４３】
なお、上記の実施形態は、１心の光ファイバを備えた細径ケーブルだけでなく、２心等の複数心の光ファイバを備えた細径ケーブルにも適応可能である。
また、スペーサ３１の外径としては、丸形の多心光ファイバケーブル用クロージャ１１に適応可能な外径であれば良く、例えば、直径８〜２５ｍｍ程度が好ましい。また、スペーサ３１の長さは、クロージャ１１におけるケーブル把持部１４ａよりも中央側から保持部１２ａに保持されるグロメット２３よりも外側までの寸法以上が好ましく、例えば、８０〜１００ｍｍ程度が好ましい。
【００４４】
【発明の効果】
以上説明したように、本発明の細径ケーブル用アダプタによれば、細径ケーブルをスペーサの保持孔に保持させることにより、外径が異なることより接続することができなかった多心光ファイバケーブル用クロージャ等の接続部に容易に接続させることができる。
これにより、既設のクロージャ等の多心光ファイバケーブルの接続部を、細径ケーブル適応型の新たなものに交換することなく、細径ケーブルを容易に接続して一般家庭等に光ファイバを引き込むことができる。
そして、このように既設のクロージャ等をそのまま用いることができるので、新たなものと交換することによる設備費の増大を抑えることができるとともに、設置作業を不要とすることができ、細径ケーブルの接続作業の容易化を図ることができる。
【図面の簡単な説明】
【図１】本発明に係る実施の形態の細径ケーブル用アダプタによって細径ケーブルが接続された、丸形の多心光ファイバケーブル用クロージャの一部を断面視した平面図である。
【図２】丸形の多心光ファイバケーブル用クロージャの一部を断面視した側面図である。
【図３】クロージャ内における接続部分の構造を示す一部の斜視図である。
【図４】本発明に係る実施の形態の細径ケーブル用アダプタの構造を示すアダプタの斜視図である。
【図５】細径ケーブル用アダプタの構造を示す分解斜視図である。
【図６】細径ケーブル用アダプタを構成するスペーサの形状を示すスペーサの平面図である。
【図７】細径ケーブル用アダプタへの細径ケーブルの保持の仕方を示すアダプタの斜視図である。
【図８】他の構造の細径ケーブル用アダプタを示すアダプタの斜視図である。
【図９】２本のドロップケーブルを保持する細径ケーブル用アダプタを示すアダプタの斜視図である。
【図１０】丸形の多心光ファイバケーブルの断面形状を示す断面図である。
【図１１】細径ケーブルである光ドロップケーブルの断面形状を示す断面図である。
【符号の説明】
１１  スリーブ
２２  細径ケーブル用アダプタ
３１  スペーサ
３２  保持溝（保持孔）
３３  固定溝（溝）
３４  シーリングテープ（シール材）
３６  固定バンド（締め付け部材）
５０  多心光ファイバケーブル
６０  光ドロップケーブル（細径ケーブル）
６８  光ファイバ
【図１】
2004341181.tif 000003
【図２】
2004341181.tif 000004
【図３】
2004341181.tif 000005
【図４】
2004341181.tif 000006
【図５】
2004341181.tif 000007
【図６】
2004341181.tif 000008
【図７】
2004341181.tif 000009
【図８】
2004341181.tif 000010
【図９】
2004341181.tif 000011
【図１０】
2004341181.tif 000012
【図１１】
2004341181.tif 000013